(57)【特許請求の範囲】
【請求項１】
パトローネを収納するパトローネ収納室と、前記パトローネから引き出した未露光の写真フイルムを収納するフイルムロール室と、撮影ごとに行われるフイルム巻き上げ操作時には前記フイルムロール室から引き出された未露光の写真フイルムの新たな撮影コマを、前記パトローネ収納室とフイルムロール室との間に設けた露光開口に案内するとともに、露光済みの写真フイルムを前記パトローネの内部に収納するように案内し、また、全ての撮影コマに露光完了後のフイルム巻き上げ操作時には写真フイルムの全てをパトローネに収納するように案内するフイルム通路と、前記パトローネ収納室の底に開閉自在に設けられ、露光済みの写真フイルムの全てを収納したパトローネを外部に取り出すための底蓋と、を備えたレンズ付きフイルムユニットにおいて、
前記パトローネ収納室の近傍で前記フイルム通路に入り込む一端が前記フイルム通路を通る写真フイルムのうちのフイルム幅方向に沿った一方のエッジにフイルム幅方向に向けて当接するフイルム有位置と、前記写真フイルムの全てがパトローネに巻き込まれたときに前記一端の前記エッジとの当接が解除されるフイルム無位置との間で移動自在に設けられており、前記一端を前記エッジに押し付ける方向に向けて付勢部材により付勢されている当接部材と、
前記当接部材がフイルム無位置に向けて移動することに連動して、該フイルムユニットの外部に写真フイルムの全部をパトローネの内部に収納した旨を表示する表示位置に移動する表示部材と、
を備えたことを特徴とするレンズ付きフイルムユニット。
【請求項２】
前記当接部材の一端には、前記写真フイルムのエッジが入り込む切り欠き部が形成されていることを特徴とする請求項１記載のレンズ付きフイルムユニット。
【請求項３】
前記表示部材は、第２の付勢部材の付勢に抗して前記当接部材の他端で非表示位置に保持されており、前記当接部材のフイルム無位置への移動により前記他端が退避することで前記第２の付勢部材の付勢により表示位置に回転することを特徴とする請求項１又は２記載のレンズ付きフイルムユニット。
【請求項４】
前記写真フイルムは、フイルム先端とフイルム後端との間の有効露光範囲に、撮影コマに対して２個の配列でパーフォレーションを形成した写真フイルムとなっていることを特徴とする請求項１ないし３いずれか記載のレンズ付きフイルムユニット。
【発明の詳細な説明】
【０００１】
【発明の属する技術分野】
本発明は、レンズ付きフイルムユニットに関するものである。
【０００２】
【従来の技術】
レンズ付きフイルムユニットには、露光開口を挟んだ両側にそれぞれパトローネを収納するパトローネ収納室と未露光の写真フイルムを収納するフイルム収納室とが設けられており、撮影によりフイルム後端側の露光コマから露光を行い、撮影後のフイルム巻き上げ操作により露光済みの写真フイルムをパトローネの内部に収納する。そして、最後のコマに撮影を完了した後のフイルム巻き上げ操作によってフイルム先端部までをパトローネの内部に完全に収納できる。これにより、現像所での取り出しの際に、パトローネからフイルム先端部が飛び出ていないので、パトローネ収納室から確実に取り出すことができる。
【０００３】
【発明が解決しようとする課題】
しかしながら、現像所では、提出されたレンズ付きフイルムユニットを確認する意味で、必ずフイルム巻き上げ操作を行っている。というのは、レンズ付きフイルムユニットに露光済みの写真フイルムをパトローネに巻き込んだことを知らせる手段がなく、最後のコマに撮影を完了した後のフイルム巻き上げ操作量が足らずに、フイルム先端部までをパトローネの内部に完全に巻き込んでいない恐れがあるためである。
【０００４】
本発明は、露光済みの写真フイルムがパトローネの内部に収納したことを認識させる手段を備えたレンズ付きフイルムユニットを提供することを目的とする。
【０００５】
【課題を解決するための手段】
上記目的を達成するために、本願発明のレンズ付きフイルムユニットでは、パトローネ収納室の近傍で前記フイルム通路に入り込む一端が前記フイルム通路を通る写真フイルムのうちのフイルム幅方向に沿った一方のエッジにフイルム幅方向に向けて当接するフイルム有位置と、前記写真フイルムの全てがパトローネに巻き込まれたときに前記一端の前記エッジとの当接が解除されるフイルム無位置との間で移動自在に設けられており、前記一端を前記エッジに押し付ける方向に向けて付勢部材により付勢されている当接部材と；前記当接部材がフイルム無位置に向けて移動することに連動して、該フイルムユニットの外部に写真フイルムの全部をパトローネの内部に巻き込んだ旨を表示する表示位置に移動する表示部材と；を備えたものである。
【０００６】
これによれば、最後のコマに撮影を完了した後のフイルム巻き上げ操作により露光済みの写真フイルムの全部がパトローネの内部に巻き込まれると、当接部材がフイルム有位置からフイルム無位置に移動する。この移動に連動して表示手段が該フイルムユニットの外部に、巻き込み完了の旨の表示位置に移動する。当接部材の一端には、写真フイルムのエッジが摺動する。そこで、一端がエッジから脱落しないように、切り欠き部を当接部材の一端に形成するのが好適である。当接部材としては、フイルム幅方向にスライド移動する検知棒や、フイルム幅方向に向けて回転する検知レバーとするのが好適である。
【０００７】
また、表示部材は、第２の付勢部材の付勢に抗して前記当接部材の他端で非表示位置に保持されており、前記当接部材のフイルム無位置への移動により前記他端が退避することで前記第２の付勢部材の付勢により表示位置に回転するように構成するのが好適である。さらに、写真フイルムとしては、フイルム先端とフイルム後端との間の有効露光範囲に、撮影コマに対して２個の配列でパーフォレーションを形成した写真フイルムとしてもよい。
【０００８】
【発明の実施の形態】
図２は、レンズ付きフイルムユニット１０の外観を示すものである。レンズ付きフイルムユニット１０は、写真フイルムパトローネや各種撮影機構が内蔵されたユニット本体１１とこれを収納する外ケース１２とから構成されている。外ケース１２は、ユニット本体１１に組み込まれた巻上げノブ１３、及びシャッタボタン１４等を露呈させるような輪郭となっており、また、フイルム巻込み完了用の表示窓１５、撮影レンズ１７、ファインダ光学１８、及びフイルム枚数表示用の表示窓１９等を露出させるための穴が設けられている。
【０００９】
ユニット本体１１は、図３に示すように、本体基部２０、パトローネ付き写真フイルム２５、及び外カバーとで構成されている。外カバーは、後カバー２１と前カバー２３とから構成されている。
【００１０】
前カバー２３は、本体基部２０の前面に着脱自在に取り付けられ、本体基部２０との間で露光ユニット２２を前及び上下方向から覆う。この前カバー２３の上面には、一部を切り欠いて弾性自在に形成したシャッタボタン１４が設けられている。
【００１１】
本体基部２０には、露光開口３３を挟んだ両側に各々隙間を空けてパトローネ収納室２７とフイルムロール室２９とが一体に形成されている。パトローネ収納室２７は、パトローネ２６を収納するため部屋であり、またフイルムロール室２９は、パトローネ２６から引き出した未露光の写真フイルム２８をフイルムロールの形態で収納するための部屋である。なお、巻芯に未露光の写真フイルムを巻き付けた状態でフイルムロール室に収納してもよい。この場合には、フイルム先端が巻芯から容易に離れるようにしておく。
【００１２】
パトローネ収納室２７とフイルムロール室２９との底は開口となっており、パトローネ付き写真フイルム２５を装填した後に、後カバー２１に設けたプルトップ式の底蓋３０，３１によってそれぞれ光密に塞がれる。底蓋３０は、露光済みの写真フイルム２８を巻き込んだパトローネ２６を取り出す際の蓋である。
【００１３】
パトローネ収納室２７の上には、巻上げノブ１３が回動自在に配置されている。巻上げノブ１３には、パトローネ２６のスプール２６ｂに係合する軸が一体に形成されている。この軸は巻上げノブ１３とともにフイルム巻き上げ機構を構成している。巻上げノブ１３は、一部が後カバー２１の開口２１ａから露呈されており、この露呈された部分をフイルム巻き上げ方向（図２に示す矢印方向）に回転させることによりスプール２６ｂが回転し、撮影済みの写真フイルム２８をパトローネ２６の内部に巻き上げる。
【００１４】
巻上げノブ１３の外周には歯列１３ａが形成されている。この歯列１３ａには、本体基部２０に設けた逆止爪２０ａが係合している。逆止爪２０ａは、巻上げノブ１３がフイルム巻き上げ方向とは逆の方向に回転操作されることを禁止する。
【００１５】
パトローネ収納室２７とフイルムロール室２９との間には、暗箱の一部３２が設けられている。この暗箱の一部３２の前面には、露光付与機構をユニット化した露光ユニット２２が着脱自在に取り付けられる。露光ユニット２２には、残りの分割暗箱を一体に形成したベースに、撮影レンズ１７、間欠スプロケット、フイルム巻き止め機構、シャッタ機構、フイルムカウンタ機構、及びファインダ光学等が組み込まれており、上面に配置した天板４６でこれらの機構が支持されている。この露光ユニット２２を本体基部２０に取り付けることで暗箱が形成される。
【００１６】
間欠スプロケットは、本体基部２０の暗箱３２の上で、且つパトローネ収納室２７の側に寄った位置に形成された開口３４からフイルム面に向けて突出される。この位置は、写真フイルムのパーフォレーション２８ａ，２８ｂの移送軌跡内とされている。間欠スプロケットは、写真フイルム２８の１コマ分の移送により半回転する。この間の回転力を利用してシャッタ機構のシャッタチャージが行われ、半回転した時点でフイルム巻き止め機構が作動して写真フイルムの移送と巻き上げノブ１３の巻き上げ操作とを阻止する。また、この間のスプロケットの回転力を利用してフイルムカウンタ機構の一歩進が行われる。
【００１７】
写真フイルム２８は、フイルム先端とフイルム後端との間の有効露光範囲に、一方の側縁２８ｄに沿って２個のパーフォレーション２８ａ，２８ｂが２種類の間隔で交互に配列されており、間隔の長いパーフォレーション２８ｂ，２８ａの間の中心が露光開口３３を通る撮影光軸１７ａに合うように１コマずつ巻き上げられて露光が行われる。
【００１８】
露光開口３３が形成された本体基部２０の裏面には、パトローネ収納室２７とフイルムロール室２９との間で写真フイルム２８の通路となるフイルム通路が設けられている。このフイルム通路は、後カバー２１のフイルム支持面２１ｂが嵌合することで光密にされる。
【００１９】
パトローネ２６は、スプール２６ｂの回転により写真フイルム２８を送り出せる構造とされており、フイルム送出口の内部に開閉自在な蓋部材２６ａが設けられている。この蓋部材２６ａは、パトローネ２６の内部遮光用であり、この両端には、キー溝が形成されている。これらのキー溝は、スプール２６ｂの軸方向に沿った側面から外部に各々露呈されている。露光ユニット２２とパトローネ収納室２７との隙間には、現像所で行われる後カバー２１の底蓋３０を開く動作に連動して蓋部材２６ａを閉じる蓋部材閉じ機構が内蔵されている。
【００２０】
図４に示すように、蓋部材閉じ機構は、捩じりバネ６０、駆動軸６１、連結棒６２、及び後カバー２１の底蓋３０に形成された係止爪３０ａとで構成されている。駆動軸６１は、パトローネ収納室２７の上面に形成した開口２７ａを通して、パトローネ２６の蓋部材２６ａのキー溝に係合し、蓋部材２６ａを開閉する。捩じりバネ６０は、一端が本体基部２０のバネ受けに、また他端が駆動軸６１のバネ受けにそれぞれ引っ掛けられ、蓋部材２６ａが閉じ位置となる方向に向けて駆動軸６１を付勢する。
【００２１】
連結棒６２は、パトローネ収納室２７の外側で暗箱の一部３２の横に組み込まれ、上端が駆動軸６１の回転軌跡内に臨む上昇位置と回転軌跡内から退避する下降位置との間で移動自在に組み込まれる。連結棒６２の上端は、上昇位置のときに、蓋部材２６ｃを開いた位置で駆動軸６１に当接してその回転を阻止している。この上昇位置のときに連結棒６２の下端は、底蓋３０がパトローネ収納室２７の底を閉じた状態で係止爪３０ａに係合する。
【００２２】
底蓋３０を開けると、これに連動して連結棒６２が下降位置に移動し、駆動軸６１の回転軌跡内から連結棒６２の上端が退避し、駆動軸６１がバネ６０の付勢により回転する。これにより、パトローネ２６の蓋部材２６ａが開く。底蓋３０がある程度開かれると、連結棒６２の下端と係止爪３０ａとの係合が解除され、連結棒６２は下降位置の状態で保持される。
【００２３】
駆動軸６１の隣には、パトローネ収納室２７の内部のパトローネ２６のフイルム出入口の近傍で写真フイルムの在席を検知するフイルム検知手段が配置されている。フイルム検知手段の上方には、天板４６の端が位置している。この天板４６には、フイルム検知手段のフイルム無しの検知に応答して巻込み完了を表示する表示手段が設けられている。フイルム検知手段は、検知棒６３と圧縮バネ６４とで構成されており、また表示手段は、表示板６５と捩じりバネ６６とで構成されている。
【００２４】
検知棒６３は、詳しくは図１に示すように、フイルムの幅方向に沿って延びた棒形状の真ん中に鍔が設けられた形状とされており、下方側の一端６３ａがパトローネ収納室２７の開口２７ａを通して写真フイルム２８の上側の側端面（以下「エッジ」と称す。）に当接し、また、上方の他端６３ｂが天板４６の開口４６ａを通して上方に露呈され、これらの開口２７ａ，４６ａによりフイルム幅方向に沿って移動自在に支持されている。
【００２５】
圧縮バネ６４は、天板４６の下面と検知棒６３の鍔との間で検知棒６３を写真フイルム２８に押し付けるように付勢している。この押し付け方向は、フイルム幅方向である。一端６３ａの先端には、図５に示すように、断面コの字状に切り欠いた切り欠き部６３ｃが形成されている。この切り欠き部６３ｃは写真フイルム２８の上側のエッジに入り込んで脱落しないようにされている。
【００２６】
表示板６５は、詳しくは図６に示すように、天板４６の軸４６ｂに回動自在に設けられており、捩じりバネ６６により反時計方向に付勢されている。そして、前述した検知棒６３の他端６３ｂが天板４６の開口４６ａから突出して、表示板６５の回転を阻止している。他端６３ｂで回転が阻止された表示板６５は、上面に記された表示マーク６５ａが表示窓１５からずれた状態とされている。また、天板４６には、表示窓１５から表示マーク６５ａが露呈する位置で表示板６５の回転を阻止するストッパー４６ｃが設けられている。
【００２７】
次に上記構成の作用を説明する。レンズ付きフイルムユニット１０は、シャッタチャージ直前の状態となっており、間欠スプロケット３８の歯３８ａ，３８ｂとの間の間隔の長い面が写真フイルム２８に接した状態となっている。写真フイルム２８の上側のエッジには、検知棒６３の切り欠き部６３ｃが入り込んでいる。検知棒６３は、圧縮バネ６４の付勢により写真フイルム２８に押し付けられている。また、表示板６５は、捩じりバネ６６で表示位置の方向に向けて付勢されているが、この方向に突出した他端６３ｂで表示位置からずれた位置で回転が阻止されている。このため、表示窓１５には、何の表示も示されていない。
【００２８】
撮影者は、フイルム巻き上げ操作を行う。この操作は、巻き上げノブ１３をフイルム巻き上げ方向に回転させる。これにより、写真フイルム２８が巻き上げられ、フイルム後端側から最初の一対のパーフォレーション２８ａ，２８ｂが到達する。これらのパーフォレーション２８ａ，２８ｂが到達することで１コマ分の長さだけ写真フイルム２８が移送され、この間に間欠スプロケット３８が半回転する。間欠スプロケット３８の半回転によりシャッタ機構のシャッタチャージが行われ、半回転した時点でフイルム巻き止め機構が作動して間欠スプロケット３８の回転と巻き上げノブ１３の回転とを阻止する。これにより、露光開口３３には、フイルム後端側の最初のコマがセットされる。
【００２９】
撮影は、シャッタボタン１４を押下操作する。この操作によりシャッタ機構が作動して露光が行われる。シャッタ機構の作動が完了すると、フイルム巻き止め機構の作動が解除され、次回のフイルム巻き上げ操作が供用される。
【００３０】
以下、前述した操作を繰り返すことで、有効露光範囲のフイルム後端側のコマから順に露光が行われ、露光済みの写真フイルム２８がパトローネ２６に内部に巻き取られる。この間、写真フイルム２８の１コマ移送ごとにフイルムカウンタ機構が一歩進して、表示窓１９を通して外部にその時点での残りのフイルム枚数を表示する。
【００３１】
最後のコマに撮影を行った後には、写真フイルム２８の最も先端側にある一対のパーフォレーション２８ａ，２８ｂが間欠スプロケット３８に到達し、有効露光範囲外にコマを形成してしまう。このため、これらパーフォレーション２８ａ，２８ｂを無効化する必要がある。この機構は、フイルムカウンタ機構に内蔵されており、最後のコマに撮影を完了した後のフイルム巻き上げ操作により、残りのフイルム枚数が無い旨を表示する位置に歩進した時点で、フイルムカウントをロックし、またフイルム巻き止め機構の作動を阻止するとともに、間欠スプロケット３８の回転をロックする。このとき、間欠スプロケット３８は歯３８ａ，３８ｂの間隔の長い面をフイルム通路に向けた状態でロックされる。したがって、前述した一対のパーフォレーション２８ａ，２８ｂが到達してもフイルム巻き止め機構が作動せず、しかも間欠スプロケット３８の歯３８ａ，３８ｂが写真フイルム２８に触れることもないから、安全にフイルム先端部のパトローネ２６への巻き込みが行える。
【００３２】
引続きフイルム巻き上げ操作を行っても、表示窓１９には残りのフイルム枚数が無い旨の表示がなされたままである。このため、この時点では露光済みの写真フイルム２８の全部がパトローネ２６に巻き込まれているか知る術がない。しかしながら、本実施例では、フイルム先端が検知棒６３を通過してしまうと、検知棒６３が圧縮バネ６４の付勢により下方向に移動し、検知棒６３の鍔がパトローネ収納室２７の開口２７ａの縁に当接することで停止する。この移動により、検知棒６３の他端６３ｂが天板４６から退避するから、表示板６５の回転阻止が解除される。したがって、表示板６５は、捩じりバネ６６の付勢により軸４６ｂを中心として反時計方向に向けて回転し、天板４６のストッパー４６ｃで阻止されることで回転が停止される。このとき、表示板６５の上面に記した表示マーク６５ａを表示窓１５を通して外部に露呈する表示位置となる。これにより、撮影者は、写真フイルム２８の全部がパトローネ２６の内部に巻き込まれたことを知り、フイルム巻き上げ操作を終了する。
【００３３】
使用済みのレンズ付きフイルムユニット１０は、そのまま現像所に提出され、ここで底蓋３０が開かれる。この底蓋３０の開き動作に連動して蓋部材閉じ機構が作動してパトローネ２６の蓋部材２６ａが閉じられる。このとき、フイルム先端までの全部がパトローネ２６の内部に確実に巻き込まれているから、フイルム先端を蓋部材２６ａで挟み込んで写真フイルム２８に傷等を付けることや、パトローネ２６を取り出したときにフイルム先端を挟み込んだ蓋部材２６ａの隙間からパトローネ２６の内部に外光が入射して露光済みの写真フイルム２８に光被れを生じさせる等の不具合を未然に防止することができる。
【００３４】
取り出したパトローネ２６は、確実に蓋部材２６ａが閉まっているから、暗室で蓋部材２６ａを開いた後に、スプール２６ｂをフイルム送り出し方向に回転させる。これにより、写真フイルム２８がフイルム送出口から外部に送り出され、露光済みの写真フイルム２８を簡単に現像処理できる。現像した後には焼付け処理が行われて、プリント写真が得られる。現像済みの写真フイルム２８は、元のパトローネ２６に戻されてプリント写真とともにユーザーに返却される。
【００３５】
図７に示す実施例では、フイルム巻込み完了を表示する表示窓１５を後カバー２１に設けた例である。この実施例では、パトローネ収納室２７の内部で写真フイルム２８の上側のエッジに当接する検知レバー７０と、パトローネ収納室２７及びフイルム通路の外部に配置された表示板７１とが軸７３により一体に連結されており、検知レバー７０がバネ７２の付勢により写真フイルム２８に押し付けられている。この押し付け方向は、フイルム幅方向であり、且つ、フイルム給送方向と平行に配置した軸７３を中心とする回転方向に沿った方向である。
【００３６】
検知レバー７０が写真フイルム２８のエッジに当接しているときには、表示板７１が表示面７１ａを上に向けた状態とされている。そして、写真フイルム２８の全部がパトローネ２６の内部に巻き込まれると、検知レバー７０がバネ７２の付勢によりパトローネ収納室２７の開口で支持された軸７３を中心に反時計方向に向けて回転する。この回転は、表示板７１が本体基部２０のフイルム通路を形成する壁面７４に当接するまで行われる。このとき、表示板７１の表示面７１ａが後カバー２１の表示窓１５を通して外部に露呈される。
【００３７】
図８に示す実施例では、表示窓１５をレンズ付きフイルムユニットの底面に設けた例である。フイルム検知手段は、検知棒８０である。この検知棒８０は、写真フイルム２８の下側の縁（パーフォレーション２８ａ，２８ｂが形成されていない縁）の部分で、且つフイルム面方向に沿って移動自在に配置されている。また、表示手段は、表示板８１である。この表示板８１は、検知棒８０に一体に形成され、この検知棒８０の移動方向に対して直交する方向に表示面８１ａを備えている。バネ８２は、検知棒８０を写真フイルム２８に押し付けるように付勢している。この付勢方向は、フイルム面方向である。
【００３８】
写真フイルム２８がパトローネ２６に巻き込まれると、バネ８２の付勢により検知棒８０がフイルム通路を突き抜けて後カバー２１の凹部２１ｂに入り込む位置に移動する。この移動により表示板８１が同図に示す二点鎖線の位置に移動する。これにより、表示面８１ａが後カバー２１のプルトップ式の底蓋３０に形成された表示窓１５から露呈される。
【００３９】
図９に示す実施例では、写真フイルム２８の在席が無いことを検知したことに連動してフイルム巻取り完了を表示するとともに、パトローネ２６の蓋部材２６ａを閉じるようにした例である。フイルム検知手段は、パトローネ収納室２７の内部で写真フイルム２８の上側の縁に当接する検知レバー９０と、パトローネ収納室２７及びフイルム通路の外部に配置された規制板９１とが軸９３により一体に連結されており、バネ９２により検知レバー９０を写真フイルム２８に押し付けるように付勢されている。この付勢方向は、フイルム面方向である。
【００４０】
検知レバー９０が写真フイルム２８の縁に当接しているときには、規制板９２の一端９２ａがパトローネ収納室２７の上面から上方に突出した状態とされている。パトローネ収納室２７の上面には、図４で説明したと同じ蓋部材２６ａを閉じる駆動軸９４が回動自在に配置されている。駆動軸９４は、捩じりバネ９５により蓋部材２６ａを閉じる方向に向けて付勢されている。バネ９５による駆動軸９４の回転は、前記規制板９１の一端９１ａで阻止されている。このとき、後カバー２１に設けた表示窓１５からずれた位置となるように駆動軸９４には、表示部９４ａが設けられている。
【００４１】
写真フイルム２８がパトローネ２６に巻き込まれると、バネ９２の付勢により検知レバー９０がフイルム通路に向けて回転する。この回転により駆動軸９４の回転阻止が解除されて駆動軸９４がパトローネ収納室２７の上面の開口を中心に反時計方向に回転する。この回転は、パトローネ収納室２７の上面に設けたストッパー２７ｂに当接することで終了する。このとき、駆動軸９４の表示部９４ａが表示窓１５から露呈される。これによれば、図４で説明した底蓋３０の開き動作に連動して蓋部材２６ａを閉じる蓋部材閉じ機構を省略することができる。
【００４２】
【発明の効果】
以上説明したように、本発明のレンズ付きフイルムユニットでは、パトローネ収納室の近傍のフイルム通路で当接部材が写真フイルムの有無を検知しており、写真フイルムの全部がパトローネの内部に巻き込まれると当接部材がフイルム無位置に移動し、この移動に連動して表示部材を表示位置に移動させるようにしたから、全ての写真フイルムをパトローネに収納した時点を確実に知らせることができる。これにより、フイルム先端までの全部がパトローネの内部に確実に収納してから、現像所での確認作業を省略することができ、作業効率が向上する。しかも、構成要素の部品点数が少なくて済み、さらに構造が簡単であるから、ローコストで達成することができる。
【図面の簡単な説明】
【図１】パトローネ収納室及びフイルム通路の要部を示す縦断面図である。
【図２】レンズ付きフイルムユニットの外観を示す斜視図である。
【図３】ユニット本体の構成を示す分解斜視図である。
【図４】蓋部材閉じ機構、フイルム検知手段、及び巻込み完了表示手段の要部を示す斜視図である。
【図５】写真フイルムのエッジと検知棒の先端との当接状態を示す要部拡大断面図である。
【図６】ユニット本体の横断面図である。
【図７】フイルム検知手段と表示手段とを一体化した別の実施例の要部を示す斜視図である。
【図８】表示手段を該フイルムユニットの底面に表示するようにした他の実施例を示す縦断面図である。
【図９】フイルム検知手段のフイルム無しの検知に連動して蓋部材を閉じるようにしたさらに別の実施例の要部を示す斜視図である。
【符号の説明】
１５  フイルム巻込み完了用の表示窓
２６  パトローネ
２７  パトローネ収納室
２８  写真フイルム
２９  フイルムロール室
６１，９４  駆動軸
６３  検知棒
６４，６６，７２，８２，９２，９５  バネ
６５  表示板
７０，９０  検知レバー
７１  表示板
８０  検知棒
９１  規制板
【図１】
0003723272.tif 000002
【図２】
0003723272.tif 000003
【図３】
0003723272.tif 000004
【図４】
0003723272.tif 000005
【図５】
0003723272.tif 000006
【図６】
0003723272.tif 000007
【図７】
0003723272.tif 000008
【図８】
0003723272.tif 000009
【図９】
0003723272.tif 000010